(57)【要約】【課題】簡易な振動機構を備えるスタイラスペンを有する情報処理装置を提供する。【解決手段】情報処理装置１は本体１０とスタイラスペン２０とを含む。本体１０は、タッチパネル１４と、タッチパネル１４に対する操作に応じて振動パターンを生成するパターン生成部１１−１と、高周波信号を生成する信号生成部１８−６と、高周波信号を本体外部へ送信する電波送信部１８−５と、認証パケットに基づいてスタイラスペン２０の認証動作を行う認証部１１−２と、認証動作が成功した場合に、タッチパネル１４に対する操作を有効と判断し、認証動作が失敗した場合に、操作を無効と判断する判断部１１−３とを備える。スタイラスペン２０は、高周波信号を受信する電波検出部２１−１と、高周波信号を電力に変換する電力生成部２３−１と、電力を用いて認証パケットを送信するペン送信部３７−１とを備える。【選択図】図４
2009134554.tif 000002
【特許請求の範囲】
【請求項１】
本体とスタイラスペンとを含む情報処理装置であって、
前記本体は、
タッチパネルと、
前記タッチパネルに対する操作に応じて振動パターンを生成するパターン生成部と、
前記振動パターンに基づいて高周波信号を生成する信号生成部と、
前記高周波信号を前記本体外部へ送信する電波送信部とを備え、
前記スタイラスペンは、
前記高周波信号を受信する電波検出部と、
前記高周波信号を電力に変換する電力生成部と、
前記電力を用いて前記高周波信号に対応した振動を発生させる振動発生部とを備える、情報処理装置。
【請求項２】
前記本体と前記スタイラスペンとはケーブルで連結されている、請求項１に記載の情報処理装置。
【請求項３】
前記スタイラスペンは、
平たい形状を有する挟持部と、
前記タッチパネルに接触するための先端部とをさらに備え、
前記電波検出部が前記挟持部内に配置されている、請求項１または２に記載の情報処理装置。
【請求項４】
前記パターン生成部は、前記タッチパネルに対する第１の操作に応じて第１の振動パターンを生成し、前記タッチパネルに対する第２の操作に応じて第２の振動パターンを生成する、請求項１から３のいずれか１項に記載の情報処理装置。
【請求項５】
前記パターン生成部は、前記タッチパネルに対する第３の操作が入力された場合には、振動パターンを生成しない、請求項１から４のいずれか１項に記載の情報処理装置。
【請求項６】
前記振動発生部は、圧電素子を含む、請求項１から５のいずれか１項に記載の情報処理装置。
【発明の詳細な説明】
【技術分野】
【０００１】
本発明は情報処理装置に関し、特に、タッチパネルを有する本体とスタイラスペンとからなる情報処理装置に関する。
【背景技術】
【０００２】
タッチパネルを有する本体に対してスタイラスペンを用いてユーザの命令を入力するタイプの情報処理装置が知られている。そして、ユーザの命令が本体に入力されたことをユーザに体感させるために、ユーザの命令が本体に入力された際に本体を振動させる技術が知られている。また、ユーザの命令が本体に入力された際にスタイラスペンを振動させる技術も知られている。
【０００３】
たとえば、特開２００２−２５９０４４号公報（特許文献１）には、表示装置上にタッチパネルを備え、押下されたタッチパネル上に座標位置と、表示装置上の文字、図形の座標位置とを比較し、押下されたタッチパネル上の位置が文字、図形の表示領域内であるとき、個々の表示領域毎に予め設定した振動時間、振動の大きさ、振動パターンの振動情報の中から対応する１つの振動情報を接続手段を介して外部へ出力する本体装置と接続し、本体装置が接続手段を介して出力する振動情報を受信し、受信した振動情報に対応し回転するモータと、モータの回転軸に固着された非対称形状の重り部を備えるペン型入力装置が開示されている。
【０００４】
また、特開２００６−３１４１０号公報（特許文献２）には、振動機能付スタイラスペンを用いたゲームシステムが開示されている。ゲームシステムは、ゲーム装置およびスタイラスペンを含む。スタイラスペンは、ステレオ音声用のイヤホンプラグを備え、ゲーム装置のステレオ音声用のイヤホンジャックに差し込まれる。ゲーム装置は、ゲームの音についてのモノラル音声信号を左音声信号としてスタイラスペンに出力し、ユーザがスタイラスペンを用いてタッチパネルの振動領域を操作したとき、当該振動領域に応じた振動制御信号を右音声信号としてスタイラスペンに出力する。したがって、スタイラスペンに設けられたスピーカからゲームの音が出力され、振動制御信号に基づいてスタイラスペンの内部に一体的に設けられた振動子が駆動され、スタイラスペンが振動する。
【０００５】
また、特開２０００−２００１４０号公報（特許文献３）には、力覚提示方法及び力覚ペンタブレットが開示されている。ペンは、操作者に対して力を伝達するための可動手段を把持部に有している。この可動手段は、ペン軸と垂直な２軸方向に変位動作する可動手段と、ペン軸方向に沿った１軸方向に変位動作する可動手段とからなる。ペンに対してタブレット部から制御信号を与えることにより、可動手段を変位させ、操作者に対して力を伝達する。
【０００６】
また、特開２００６−３０９３３３号公報（特許文献４）には、情報処理システムが開示されている。ユーザは、ペンで端末装置のタッチパネル式ディスプレイ上のコピーを所望するデータを指示しながらスイッチを押下する。スイッチは、電波による近接通信により、オン情報を端末装置に送信し、指示したデータ（指示データ）を受信する。次に、ユーザは、ペースト先となるタッチパネル式ディスプレイ上の位置にペンを接触させ、押下したスイッチを元に戻す。スイッチは、オフ情報を送信し、それに対して端末装置から送信されてくる保存情報要求を受信する。そして、スイッチは、オン情報を送信したときに端末装置から受信した指示データを送信し、端末装置は、ペースト先に指示データを表示させる。情報処理システムは、例えば、タッチパネルとペンを入力手段とする情報処理装置に適用できる。
【０００７】
また、実開平６−４８２４号公報（特許文献５）には、座標指示器が開示されている。ペンケースに圧電素子を振動自在に配置し、ペンケースを手で持って動かすと、圧電素子が振動してこれらに隣接する物体に衝突し、その衝撃圧力で圧電素子に分極現象が生じて電圧が誘起される。この電圧は、蓄積回路に蓄積されて、蓄積回路の出力は信号発生回路に電源として供給される。信号発生回路の出力信号によってケースの先端から位置指示用の信号が放射される。
【特許文献１】特開２００２−２５９０４４号公報
【特許文献２】特開２００６−３１４１０号公報
【特許文献３】特開２０００−２００１４０号公報
【特許文献４】特開２００６−３０９３３３号公報
【特許文献５】実開平６−４８２４号公報
【発明の開示】
【発明が解決しようとする課題】
【０００８】
しかしながら、上記の本体を振動させる情報処理装置の場合は、本体への入力を行った際のスタイラスペンの位置にかかわらず本体が振動するため、ユーザがスタイラスペンを本体に接触させた位置を体感することができないという不具合があった。つまり、ユーザが、快適で違和感のない操作感覚を味わうことができなかった。そして、スタイラスペンを振動させる情報処理装置の場合には、振動を発生させるための電力をスタイラスペンへ供給するための構成や、振動を発生させるための命令をスタイラスペンへ伝達するための構成が大掛かりなものとなり、コストアップの原因となっていた。
【０００９】
本発明は前記問題点を解決するためになされたものであって、本発明の主たる目的は、簡易な振動機構を備えるスタイラスペンを有する情報処理装置を提供することである。
【課題を解決するための手段】
【００１０】
上記の課題を解決するために、この発明のある局面に従うと、本体とスタイラスペンとを有する情報処理装置が提供される。本体は、タッチパネルと、タッチパネルに対する操作に応じて振動パターンを生成するパターン生成部と、振動パターンに基づいて高周波信号を生成する信号生成部と、高周波信号を本体外部へ送信する電波送信部とを備える。スタイラスペンは、高周波信号を受信する電波検出部と、高周波信号を電力に変換する電力生成部と、電力を用いて高周波信号に対応した振動を発生させる振動発生部とを備える。
【００１１】
好ましくは、本体とスタイラスペンとはケーブルで連結されている。
好ましくは、スタイラスペンは、平たい形状を有する挟持部と、タッチパネルに接触するための先端部とをさらに備え、電波検出部が挟持部内に配置されている。
【００１２】
好ましくは、パターン生成部は、タッチパネルに対する第１の操作に応じて第１の振動パターンを生成し、タッチパネルに対する第２の操作に応じて第２の振動パターンを生成する。
【００１３】
好ましくは、パターン生成部は、タッチパネルに対する第３の操作が入力された場合には、振動パターンを生成しない。
【００１４】
好ましくは、振動発生部は、圧電素子を含む。
【発明の効果】
【００１５】
以上のように、この発明によれば、簡易な振動機構を備えるスタイラスペンを有する情報処理装置を提供することができる。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜全体構成＞
図１は、本実施の形態に係る情報処理装置１の全体構成を示す概略図である。図１を参照して、本発明に係る情報処理装置１の全体構成について説明する。情報処理装置１は、タッチパネル１４を有する本体１０と、スタイラスペン２０とを含む。本実施の形態に係る情報処理装置１においては、ユーザは、図示しない一方の手で本体１０を保持し、他方の手（指３０）でスタイラスペン２０を保持しながら、スタイラスペン２０を用いてタッチパネル１４に情報を入力することができる。
【００１８】
＜本体１０のハードウェア構成＞
図２は、本実施の形態に係る本体１０のハードウェア構成を示すブロック図である。図２に示すように、本体１０は、ＣＰＵ（Central Processing Unit）１１と、メモリ１２と、ＬＣＤ（Liquid Crystal Display）１３と、タッチパネル１４と、キーボード１５と、電源回路１６と、電池１７と、無線インターフェイス１８とを含む。無線インターフェイス１８は、信号変換部１８−１と、高周波変調回路１８−２と、高周波発信回路１８−３と、高周波増幅回路１８−４と、電波送信部１８−５とを含む。
【００１９】
ＣＰＵ１１は、本体１０の各要素の動作を制御するものであって、各種の演算を実施する装置である。また、ＣＰＵ１１は、内部バス１９を介して、各種演算結果をメモリ１２に格納したり、各種演算結果をＬＣＤ１３に表示したりする。
【００２０】
メモリ１２は、データやプログラムを記憶する記録媒体である。メモリ１２は、代表的には、ＣＰＵ１１が直接読み書きできるＲＡＭ（Random Access Memory）やＲＯＭ（Read Only Memory）などの半導体記憶装置である。たとえば、メモリ１２は、ＣＰＵ１１の作業領域としても利用される。
【００２１】
ＬＣＤ１３は、液晶を利用した表示装置である。ＬＣＤ１３は、２枚のガラス板の間に特殊な液体を封入し、電圧をかけることによって液晶分子の向きを変え、光の透過率を増減させることで像を表示する構造になっている。すなわち、ＣＰＵ１１からの出力に応じてＬＣＤ１３に電圧がかけられることにより、ＬＣＤ１３上に像が表示される構成となっている。本実施の形態においては、たとえば、ＬＣＤ１３の後側（下側）にタッチパネル１４が敷設されている。
【００２２】
タッチパネル１４は、たとえば、ＬＣＤ１３の後側（下側）に敷設される。タッチパネル１４は、ユーザが指３０やスタイラスペン２０によって画面（ＬＣＤ１３）に触れることによって、画面を通してユーザからの情報を本体１０へと入力する。タッチパネル１４は、指３０が触れた位置を検知して、スタイラスペンがタッチパネル１４に触れた旨の情報や、スタイラスペンがタッチパネル１４から離れた旨の情報や、スタイラスペン２０が接触したタッチパネル１４上の位置情報などをＣＰＵ１１に与える。本実施の形態においては、タッチパネル１４は、ＬＣＤ１３の下に配置されて圧力の変化を検出する形態としているが、たとえば、専用の透明なスクリーンで画面を覆う形式などであってもよい。
【００２３】
キーボード１５は、ボタンやスイッチなどで構成されるものであって、指３０でボタン（スイッチ）を押すことによって、ユーザからの情報を本体１０にを入力する装置である。キーボード１５は、代表的には、英字、カナ、数字、記号などが刻印されたボタン(キー)が並んでおり、ユーザがボタンを押すと、当該ボタンに対応する情報がＣＰＵ１１に送られる。また、キーボード１５には、十字キーや、決定キーや、メニューキーや、ファンクションキーなどが含まれてもよい。
【００２４】
電源回路１６は、電池１７から必要な出力電力を生成する回路であって、生成した出力電力を本体１０の各部へ伝達する。電源回路１６には、代表的に、電力変換器（電力変換装置）などが用いられる。電源回路１６は、たとえば、電池１７の残量を監視したり、電池１７を充電したりする。電池１７は、電源回路１６に必要な電力を与える。
【００２５】
信号変換部１８−１は、ＣＰＵ１１からのデジタル信号を、高周波発信回路１８−２で発生される搬送波を変調するためのアナログ信号へと変換する。
【００２６】
高周波発信回路１８−２は、持続した交流（搬送波）を作る電気回路である。本実施の形態のように、変調信号の伝送に必要な高周波信号を発生させる高周波発信回路１８−２としては、代表的に、水晶発振器、自励発振器等の発振回路、あるいはそれらを組み合わせたＰＬＬ（Phase-Locked Loop）回路などが挙げられる。
【００２７】
高周波変調回路１８−３は、高周波発信回路１８−２にて発信された交流（搬送波）を、信号変換部１８−１からの信号に応じて、変調させるための回路である。すなわち、信号変換部１８−１からの信号が高周波変調回路１８−３を通ることによって、搬送波の振幅と周波数と位相とが変化させられる回路である。
【００２８】
たとえば、高周波発信回路１８−２が高周波変調回路１８−３としての終段増幅素子（トランジスタ、真空管）に搬送波信号を入力し、信号変換部１８−１が終段増幅素子の電源電圧に変調信号を重畳することによって高周波発信回路１８−２からの搬送波の振幅を変化させて、高周波増幅回路１８−４へ変調した出力を行う。また、ＣＰＵ１１が、高周波発信回路１８−２に接続したリアクタンス回路（逆バイアスを印加した可変容量ダイオードなど）の電極間容量を変化させて、高周波増幅回路１８−４へ伝達される信号の周波数を変調する無線インターフェイス１８なども挙げられる。
【００２９】
高周波増幅回路１８−４は、高周波変調回路１８−３から入力された信号に応じてより大きな出力エネルギーを得るための回路である。たとえば、バイポーラトランジスタではベース電流とコレクタ電流とがそれぞれ比例する性質を持つ。そこで、電池１７（電源回路１６）から負荷抵抗を通してコレクタに電圧を供給することにより、コレクタ電流（ベース電流×電流増幅率）の変化に対応したコレクタ電圧の変化が得られる。高周波増幅回路１８−４で得られたコレクタ電圧を電波送信部１８−５へと出力することよって、高周波増幅回路１８−４は高周波変調回路１８−３からの入力信号を大きな電力の出力信号に変換する。
【００３０】
電波送信部１８−５は、高周波増幅回路１８−４で増幅された高周波信号を電波として本体１０の外部へと放射する。すなわち、電波送信部１８−５は、ＣＰＵ１１が生成した振動パターンに対応した高周波信号を乗せた電波を、本体１０外部へと送信する。
【００３１】
＜スタイラスペン２０のハードウェア構成＞
図３は、本実施の形態に係るスタイラスペン２０のハードウェア構成を示す回路図である。図３に示すように、スタイラスペン２０は、アンテナ２１と、同調（マッチング）回路２２と、整流器（整流回路）２３と、振動発生部２４とを含む。
【００３２】
アンテナ２１は、電波送信部１８−５から送信された高周波信号を乗せた電波や、その他の信号を乗せた電波を受信して、それらの電波を高周波電流に変換する。図１および図３に示すように、本実施の形態に係るスタイラスペン２０は、平たい形状を有する挟持部２０ａと、本体１０のタッチパネル１４に接触するための先端部２０ｂとから構成される。ユーザは、挟持部２０ａを指３０で挟むことによってスタイラスペン２０を保持し、先端部２０ｂをタッチパネル１４に接触させることによって本体１０に情報を入力する。そして、アンテナ２１は、挟持部２０ａ内に巻回されている。このように、本実施の形態に係るスタイラスペン２０は、本体１０から送信される高周波信号が乗った電波を受信し易く構成されている。
【００３３】
同調回路２２は、代表的にコイルとコンデンサによる共振回路などによって構成され、様々な周波数の電波の中から所望の周波数の電波、すなわち本実施の形態においては電波送信部１８−５から送信された電波を抽出する。
【００３４】
整流器２３は、代表的にダイオード３２などの整流素子によって構成され、同調回路２２で生成される高周波の交流の電力を直流の電力に変換（整流、順変換）する電力変換装置である。
【００３５】
振動発生部２４は、整流器２３にて発生した電圧や電流を利用して振動を発生させる装置であって、本実施の形態においては圧電振動素子が用いられている。圧電振動素子を真空中に配置することによって、振動エネルギーが減少し難い構成とし、スタイラスペン２０内で生成された電力を有効に利用することができる。
【００３６】
＜機能構成＞
図４は、本実施の形態に係る情報処理装置１の機能構成を示すブロック図である。前述したように、情報処理装置１は、本体１０とスタイラスペン２０とを含む。本体１０は、タッチパネル１４と、振動パターン生成部１１−１と、高周波信号生成部１８−６と、電波送信部１８−５とを含む。スタイラスペン２０は、電波検出部２１−１と、電力生成部２３−１と、振動発生部２４−１とを含む。
【００３７】
以下、各機能について説明する。前述したように、タッチパネル１４は、スタイラスペン２０やユーザの指３０などに押されることによって、外部（ユーザ）からの入力を受け付ける。タッチパネル１４は、タッチパネル１４上のどの位置に接触されたかを示す位置情報や、タッチパネル１４に接触されているか否かを示す接触状態情報などをＣＰＵ１１に伝達する。
【００３８】
振動パターン生成部１１−１は、たとえば、ＣＰＵ１１がメモリ１２などに記憶されるプログラムを実行することによって発揮される機能である。ただし、振動パターン生成部１１−１は、専用のハードウェア回路等によって実現してもよい。逆に、振動パターン生成部１１−１以外の機能ブロックを、ＣＰＵ１１がメモリ１２などに記憶されるプログラムを実行することによって発揮されるものとしてもよい。振動パターン生成部１１−１は、タッチパネル１４を介した本体１０への操作に応じて各種の振動パターンを生成する。
【００３９】
詳しくは、振動パターン生成部１１−１は、タッチパネル１４を介した本体１０への第１の操作に応じて第１の振動パターンを生成し、タッチパネル１４を介した本体１０への第２の操作に応じて第２の振動パターンを生成する。そして、第３の操作が入力された場合には、振動パターン生成部１１−１が振動パターンを生成しない構成としてもよい。
【００４０】
ここで、第１の操作と第２の操作と第３の操作とは、それぞれが本体１０に対するユーザからの異なる指令をいう。また、第１の振動パターンと第２の振動パターンとは、異なるタイプの振動パターンをいうものであって、振幅（振動）の大きさや、振動周期や、振動期間などが異なる振動パターンをいう。すなわち、タッチパネル１４に対する操作の種類に応じた振動パターンを生成する。
【００４１】
大きい振幅の振動パターンが生成されて、当該振動パターンに応じた高周波信号が送信されると、スタイラスペン２０は大きく振動する。小さい振幅の振動パターンが生成されて、当該振動パターンに応じた高周波信号が送信されると、スタイラスペン２０は小さく振動する。比較的長期間（たとえば、２秒間）におよぶ振動パターンが生成されて、当該振動パターンに応じた高周波信号が送信されると、スタイラスペン２０は長期間（たとえば、２秒間）振動する。比較的短期間（たとえば、０．２秒）の振動パターンが生成されて、当該振動パターンに応じた高周波信号が送信されると、スタイラスペン２０は短期間（たとえば、０．２秒間）振動する。
【００４２】
たとえば、ユーザが文字などを入力する操作を行った場合には、振動パターン生成部１１−１は、各文字が入力される毎に小さな振動パターンを生成する。たとえば、ユーザが複数の選択候補から１つを決定する操作を行った場合には、振動パターン生成部１１−１は、大きな振動パターンを生成する。また、ユーザが許可されていない情報の入力操作や選択操作を行った場合には、振動パターン生成部１１−１が大きな振動パターンを生成する構成であってもよい。
【００４３】
具体的には、ユーザが暗証番号の入力に失敗した場合などは、振幅の大きな振動パターンを生成して、スタイラスペン２０を大きく振動させることによって、ユーザにエラーが生じた旨を伝える。また、ユーザが暗証番号の入力に失敗した場合などは、長期間におよぶ振動パターンを生成して、スタイラスペン２０を長期間振動させることによって、ユーザにエラーが生じた旨を伝えてもよい。
【００４４】
そして、振動パターン生成部１１−１は、タッチパネル１４を介した本体１０への第３の操作が入力された場合には、振動パターンを生成しない構成としてもよい。すなわち、ユーザが許可されていない情報の入力操作や選択操作を行った場合には、振動パターンを生成しない構成にしてもよい。
【００４５】
高周波信号生成部１８−６は、信号変換部１８−１や高周波発信回路１８−２や高周波変調回路１８−３によって実現される。高周波信号生成部１８−６は、振動パターン生成部１１−１にて生成された振動パターンに基づいて高周波信号を生成する。すなわち、高周波信号生成部１８−６は、タッチパネル１４に入力される操作の種類に応じた高周波信号を生成する。
【００４６】
前述したように、電波送信部１８−５は、高周波信号生成部１８−６にて生成された高周波信号を電波に乗せて本体１０の外部へと送信する。
【００４７】
前述したように、電波検出部２１−１は、アンテナ２１によって実現され、電波送信部１８−５から送信された電波を受信する。
【００４８】
電力生成部２３−１は、整流器２３や同調回路２２によって実現され、電波検出部２１−１が受信した電波を電流あるいは電圧、すなわち電力に変換する。
【００４９】
振動発生部２４は、電力生成部２３−１にて生成された電流あるいは電圧、すなわち電力を用いて前記高周波信号に対応した振動を発生させる。本実施の形態においては、振動発生部２４は圧電素子によって実現される。
【００５０】
図５は、本実施の形態に係る情報処理装置１のイメージ図である。本実施の形態に係る情報処理装置１は、図５に示すように、スタイラスペン２０を用いて本体１０のタッチパネル１４に情報を入力すると、本体１０からの信号に基づいて振動発生部２４が振動し、当該振動がユーザの指３０に伝達される構成となっている。すなわち、振動機構が簡易な構成となっているため、スタイラスペン２０の小型化、製造コストの低下を実現しつつ、ハプティック技術を取り入れることができる。
【００５１】
＜高周波信号送信処理＞
次に、本体１０における高周波信号送信処理について説明する。図６は、本体１０における高周波信号送信処理の処理手順を示したフローチャートである。図６を参照して、本体１０においては、まず、タッチパネル１４に対してユーザが入力動作を行ったか否かについての判断が行われる（ステップＳ１０１）。タッチパネル１４に対して入力動作が行われるまで（ステップＳ１０１にてＮＯの場合）、ＣＰＵ１１は待機する。タッチパネル１４に対して入力動作が行われると、たとえばスタイラスペン２０などの物体がタッチパネル１４に接触すると（ステップＳ１０１にてＹＥＳの場合）、ＣＰＵ１１は入力された操作に応じた振動パターンを生成する（ステップＳ１０２）。そして、無線インターフェイス１８が、ＣＰＵ１１から出力されてくる振動パターンに対応した高周波信号を乗せた電波を本体１０外部へと送信する（ステップＳ１０３）。
【００５２】
本実施の形態に係る情報処理装置１は、以上のように構成されているため、簡易な構成でもって、ユーザからの指令が本体１０に入力されたことをユーザに知らしめることができる。そして、平たい形状の挟持部２０ａにアンテナ２１が内包されているので、本体１０から送信された高周波信号をスタイラスペン２０にて効率的に受信することができる。操作の種類に応じて、スタイラスペン２０において異なるタイプの振動が生じるため、ユーザはどのような操作が入力されたのかを感覚的に認識することができる。また、一定の操作、たとえば誤った操作が入力された場合には、振動を発生させない構成とすることにより、ユーザからの指令が本体に入力されなかったことをユーザに知らしめることができる。また、圧電振動素子を真空中に配置することによって、振動エネルギーが減少し難い構成とし、スタイラスペン２０内で生成された電力を有効に利用することができる。
【００５３】
＜変形例＞
図７は、情報処理装置１の変形例の全体構成を示す概略図である。本変形例に係る情報処理装置１を構成する本体１０およびスタイラスペン２０のハードウェア構成、機能構成、および各種の処理手順は、図２〜図６に示したものと同様であるため、ここでは説明を繰り返さない。
【００５４】
図７に示すように、本変形例に係る情報処理装置１は、本体１０とスタイラスペン２０とが、ケーブル３１などによって連結可能に構成されている。スタイラスペン２０は、本体１０に比べて小さな装置であるため、ユーザがスタイラスペン２０を紛失してしまう可能性が高い。そのため、スタイラスペン２０は、本体１０と着脱自在に連結されていることが好ましい。
【００５５】
また、情報処理装置１は、ケーブル３１によって、本体１０からスタイラスペン２０へと電力を供給可能な構成としてもよい。すなわち、ケーブル３１によって本体１０とスタイラスペン２０とを連結した際には、ケーブル３１を介して本体１０からスタイラスペン２０へと電力を供給したり、命令を送信したりする。そして、ケーブル３１を用いていない場合には、本体１０から電波を送信することによって、本体１０からスタイラスペン２０へと電力を供給したり、命令を送信したりする構成としてもよい。
【００５６】
本変形例に係る情報処理装置１によると、ユーザがスタイラスペン２０を紛失する可能性を低減できる。また、本変形例に係る情報処理装置１によると、電池１７残量が少なくなり、高周波信号の出力が小さくなった場合に、本体１０からスタイラスペン２０へとケーブル３１を介して電力や信号を送ることが可能になる。
【００５７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【００５８】
【図１】本実施の形態に係る情報処理装置の全体構成を示す概略図である。
【図２】本実施の形態に係る本体のハードウェア構成を示すブロック図である。
【図３】本実施の形態に係るスタイラスペンのハードウェア構成を示す回路図である。
【図４】本実施の形態に係る情報処理装置の機能構成を示すブロック図である。
【図５】本実施の形態に係る情報処理装置のイメージ図である。
【図６】本体における高周波信号送信処理の処理手順を示したフローチャートである。
【図７】情報処理装置の変形例の全体構成を示す概略図である。
【符号の説明】
【００５９】
１  情報処理装置、１０  本体、１１  ＣＰＵ、１１−１  振動パターン生成部、１２  メモリ、１４  タッチパネル、１５  キーボード、１６  電源回路、１７  電池、１８  無線インターフェイス、１８−１  信号変換部、１８−２  高周波発信回路、１８−３  高周波変調回路、１８−４  高周波増幅回路、１８−５  電波送信部、１８−６  高周波信号生成部、１９  内部バス、２０  スタイラスペン、２１  アンテナ、２１−１  電波検出部、２２  同調回路、２３  整流器、２３−１  電力生成部、２４  振動発生部、３０  指、３１  ケーブル、３２  ダイオード。
【図１】
2009134554.tif 000003
【図２】
2009134554.tif 000004
【図３】
2009134554.tif 000005
【図４】
2009134554.tif 000006
【図５】
2009134554.tif 000007
【図６】
2009134554.tif 000008
【図７】
2009134554.tif 000009